(57)【要約】【課題】構造物の表面からの雪の除去及び表面の凍結を防ぐ工法のひとつに、予め舗装表面近傍に発熱体を埋設しておき、それに電力を供給して加熱することにより融雪、凍結を防ぐシステムなどがある。しかし、長期にわたるランニングコストが高いなどの問題がある。【解決手段】構造物の設置を所望する路盤１Ａに底面１Ｂ１と側壁１Ｂ２からなるくぼみ部１Ｂを形成し、くぼみ部１Ｂにおける内周面に断熱材１Ｃを張設し、断熱材における内周面に熱を反射するアルミシート１Ｄを張設したものにおいて、ヒーティングケーブル１Ｇ、コンクリートなどの舗装材１Ｈを打設する融雪及び凍結防止工法である。【選択図】        図１
2004156391.tif 000002
【特許請求の範囲】
【請求項１】
構造物の設置を所望する路盤（１Ａ）に底面（１Ｂ１）と側壁（１Ｂ２）からなるくぼみ部（１Ｂ）を形成し、くぼみ部（１Ｂ）における内周面に断熱材（１Ｃ）を張設し、断熱材における内周面に熱を反射するアルミシート（１Ｄ）を張設し、くぼみ部（１Ｂ）内に下方切り込み採石（１Ｅ）と上方切り込み採石（１Ｆ）を敷設し、上方切り込み採石の上面にヒーティングケーブル（１Ｇ）を配線し、上方切り込み採石の上面にヒーティングケーブルを包む状態でコンクリートなどの舗装材（１Ｈ）を打設することを特徴とする融雪及び凍結防止工法。
【請求項２】
ヒーティングケーブルに代えてヒーティングパイプを使用し、また、アルミシートに代えて樹脂系反射材、鋼板系反射材を使用した請求項１記載の融雪及び凍結防止工法。
【請求項３】
構造物の設置を所望する路盤（２Ａ）に底面（２Ｂ１）と側壁（２Ｂ２）からなるくぼみ部（２Ｂ）を形成し、くぼみ部（２Ｂ）における内周面に断熱材（２Ｃ）を張設し、断熱材における内周面に遠赤外線及び熱を反射するアルミシート（２Ｄ）を張設し、くぼみ部（２Ｂ）内に下方切り込み採石（２Ｅ）と上方切り込み採石（２Ｆ）を敷設し、上方切り込み採石の上面にヒーティングケーブル（２Ｇ）を配線し、ヒーティングケーブルの上下面に下方の溶接金網２Ｈ及び上方の溶接金網（２Ｉ）を張設し、上方切り込み採石の上面にヒーティングケーブル、下方の溶接金網及び上方の溶接金網を包む状態で遠赤外線素子入りコンクリート（２Ｊ）を打設し、遠赤外線素子入りコンクリートの上面にクッション砂（２Ｋ）を敷設し、クッション砂の上面にレンガ（２Ｌ、２Ｌ．．）を敷設することを特徴とする融雪及び凍結防止工法。
【請求項４】
ヒーティングケーブルに代えてヒーティングパイプを使用し、また、アルミシートに代えて樹脂系反射材、鋼板系反射材を使用し、さらにレンガに代えてインターロッキングブロック、カラー平板、エクステリアコンクリートを使用し、クッション砂に代えて遠赤外線素子入りクッション砂を使用した請求項３記載の融雪及び凍結防止工法。
【請求項５】
レンガ（２Ｌ、２Ｌ．．）に代えて遠赤外線素子入りレンガ（２１Ａ、２１Ａ．．）を使用した請求項３記載の融雪及び凍結防止工法。
【請求項６】
レンガ（２Ｌ、２Ｌ．．）に代えて遠赤外線素子のコーティングが施されたレンガ（２２Ａ、２２Ａ．．）を使用した請求項３記載の融雪及び凍結防止工法。
【請求項７】
構造物の設置を所望する路盤（３Ａ）に底面（３Ｂ１）と側壁（３Ｂ２）からなるくぼみ部（３Ｂ）を形成し、くぼみ部（３Ｂ）における内周面に断熱材（３Ｃ）を張設し、断熱材における内周面に遠赤外線及び熱を反射するアルミシート（３Ｄ）を張設し、くぼみ部（３Ｂ）内に下方切り込み採石（３Ｅ）と上方切り込み採石（３Ｆ）を敷設し、上方切り込み採石の上面にヒーティングケーブル（３Ｇ）を配線し、ヒーティングケーブルの上下面に下方の溶接金網（３Ｈ）及び上方の溶接金網（３Ｉ）を張設し、上方切り込み採石の上面にヒーティングケーブル、下方の溶接金網及び上方の溶接金網を包む状態で遠赤外線素子入りコンクリート（３Ｊ）を打設し、遠赤外線素子入りコンクリートの上面にアスファルト（３Ｋ）を打設することを特徴とする融雪及び凍結防止工法。
【請求項８】
ヒーティングケーブルに代えてヒーティングパイプを使用し、また、アルミシートに代えて樹脂系反射材、鋼板系反射材を使用した請求項７記載の融雪及び凍結防止工法。
【請求項９】
アスファルト（３Ｋ）に代えて遠赤外線素子入りアスファルト（３１Ａ）を使用した請求項７記載の融雪及び凍結防止工法。
【請求項１０】
構造物の設置を所望する路盤（４Ａ）に底面（４Ｂ１）と側壁（４Ｂ２）からなるくぼみ部（４Ｂ）を形成し、くぼみ部（４Ｂ）における内周面に断熱材（４Ｃ）を張設し、断熱材における内周面に遠赤外線及び熱を反射するアルミシート（４Ｄ）を張設し、くぼみ部（４Ｂ）内に下方切り込み採石（４Ｅ）と上方切り込み採石（４Ｆ）を敷設し、上方切り込み採石の上面にヒーティングケーブル（４Ｇ）を配線し、ヒーティングケーブルの上下面に下方の溶接金網（４Ｈ）及び上方の溶接金網（４Ｉ）を張設し、上方切り込み採石の上面にヒーティングケーブル、下方の溶接金網及び上方の溶接金網を包む状態で遠赤外線素子入りコンクリート（４Ｊ）を打設することを特徴とする融雪及び凍結防止工法。
【請求項１１】
ヒーティングケーブルに代えてヒーティングパイプを使用し、また、アルミシートに代えて樹脂系反射材、鋼板系反射材を使用した請求項１０記載の融雪及び凍結防止工法。
【請求項１２】
遠赤外線素子入りコンクリート（４Ｊ）に代えて遠赤外線素子のコーティングが施されたコンクリート（４１Ａ）を使用した請求項１０記載の融雪及び凍結防止工法。
【発明の詳細な説明】
【０００１】
【発明の属する技術分野】
本発明は、新規な構成を有する融雪及び凍結防止工法に関するものである。
詳しくは、本発明は、ヒーティングケーブル、遠赤外線素子、アルミシート、断熱材を利用して牛舎の牛床、通路、堆肥盤、ビニールハウスの苗床の保温、道路、駐車場、その他構造物の表面からの雪の除去及び表面の凍結を防ぐことができるものである。
【０００２】
【従来の技術】
牛舎の牛床、通路、堆肥盤、ビニールハウスの苗床の保温、道路、駐車場、その他構造物の表面からの雪の除去及び表面の凍結を防ぐ工法のひとつに、予め舗装表面近傍に発熱体を埋設しておき、それに電力を供給して加熱することにより融雪、凍結を防ぐシステム、さらに遠赤外線素子を舗装に混入させ融雪効果を高めるシステムがある。
【０００３】
【発明が解決しようとする課題】
従来の技術で述べたものにあっては、下記のような問題点を有していた。
長期にわたるランニングコストを考えた場合、さらにコストダウンを図ることが望まれている。
【０００４】
本発明は、従来の技術の有するこのような問題点に鑑みなされたものであり、その目的とするところは、次のような事のできるものを提供しようとするものである。
すなわち、本発明によれば、上記課題を解決するため、レンガ、コンクリート、アスファルト、遠赤外線素子入りレンガ、遠赤外線素子コーティングレンガ、遠赤外線素子入りコンクリート、遠赤外線素子コーティングコンクリート、遠赤外線素子入りアスファルト、遠赤外線及び熱を反射させるアルミシート、熱の拡散を抑制する断熱材、ヒーティングケーブル又はヒーティングパイプ、溶接金網、路盤を組合せ、より効率的に融雪能力、凍結の防止能力を向上させ、より一層省エネルギー及びコストダウンを図ることができるものを提供しようとするものである。
【０００５】
【課題を解決するための手段】
上記目的を達成するために、本発明は下記のようになるものである。
すなわち、
請求項１記載の発明は、構造物の設置を所望する路盤１Ａに底面１Ｂ１と側壁１Ｂ２からなるくぼみ部１Ｂを形成し、くぼみ部１Ｂにおける内周面に断熱材１Ｃを張設し、断熱材における内周面に熱を反射するアルミシート１Ｄを張設し、くぼみ部１Ｂ内に下方切り込み採石１Ｅと上方切り込み採石１Ｆを敷設し、上方切り込み採石の上面にヒーティングケーブル１Ｇを配線し、上方切り込み採石の上面にヒーティングケーブルを包む状態でコンクリートなどの舗装材１Ｈを打設することを特徴とするものである。
【０００６】
請求項２記載の発明は、請求項１記載の発明において、ヒーティングケーブルに代えてヒーティングパイプを使用し、また、アルミシートに代えて樹脂系反射材、鋼板系反射材を使用したことを特徴とするものである。
【０００７】
請求項３記載の発明は、構造物の設置を所望する路盤２Ａに底面２Ｂ１と側壁２Ｂ２からなるくぼみ部２Ｂを形成し、くぼみ部２Ｂにおける内周面に断熱材２Ｃを張設し、断熱材における内周面に遠赤外線及び熱を反射するアルミシート２Ｄを張設し、くぼみ部２Ｂ内に下方切り込み採石２Ｅと上方切り込み採石２Ｆを敷設し、上方切り込み採石の上面にヒーティングケーブル２Ｇを配線し、ヒーティングケーブルの上下面に下方の溶接金網２Ｈ及び上方の溶接金網２Ｉを張設し、上方切り込み採石の上面にヒーティングケーブル、下方の溶接金網及び上方の溶接金網を包む状態で遠赤外線素子入りコンクリート２Ｊを打設し、遠赤外線素子入りコンクリートの上面にクッション砂２Ｋを敷設し、クッション砂の上面にレンガ２Ｌ、２Ｌ．．を敷設することを特徴とするものである。
【０００８】
請求項４記載の発明は、請求項３記載の発明において、ヒーティングケーブルに代えてヒーティングパイプを使用し、また、アルミシートに代えて樹脂系反射材、鋼板系反射材を使用し、さらにレンガに代えてインターロッキングブロック、カラー平板、エクステリアコンクリートを使用し、クッション砂に代えて遠赤外線素子入りクッション砂を使用したことを特徴とするものである。
【０００９】
請求項５記載の発明は、請求項３記載の発明において、レンガ２Ｌ、２Ｌ．．に代えて遠赤外線素子入りレンガ２１Ａ、２１Ａ．．を使用したことを特徴とするものである。
【００１０】
請求項６記載の発明は、請求項３記載の発明において、レンガ２Ｌ、２Ｌ．．に代えて遠赤外線素子のコーティングが施されたレンガ２２Ａ、２２Ａ．．を使用したことを特徴とするものである。
【００１１】
請求項７記載の発明は、構造物の設置を所望する路盤３Ａに底面３Ｂ１と側壁３Ｂ２からなるくぼみ部３Ｂを形成し、くぼみ部３Ｂにおける内周面に断熱材３Ｃを張設し、断熱材における内周面に遠赤外線及び熱を反射するアルミシート３Ｄを張設し、くぼみ部３Ｂ内に下方切り込み採石３Ｅと上方切り込み採石３Ｆを敷設し、上方切り込み採石の上面にヒーティングケーブル３Ｇを配線し、ヒーティングケーブルの上下面に下方の溶接金網３Ｈ及び上方の溶接金網３Ｉを張設し、上方切り込み採石の上面にヒーティングケーブル、下方の溶接金網及び上方の溶接金網を包む状態で遠赤外線素子入りコンクリート３Ｊを打設し、遠赤外線素子入りコンクリートの上面にアスファルト３Ｋを打設することを特徴とするものである。
【００１２】
請求項８記載の発明は、請求項７記載の発明において、ヒーティングケーブルに代えてヒーティングパイプを使用し、また、アルミシートに代えて樹脂系反射材、鋼板系反射材を使用したことを特徴とするものである。
【００１３】
請求項９記載の発明は、請求項７記載の発明において、アスファルト３Ｋに代えて遠赤外線素子入りアスファルト３１Ａを使用したことを特徴とするものである。
【００１４】
請求項１０記載の発明は、構造物の設置を所望する路盤４Ａに底面４Ｂ１と側壁４Ｂ２からなるくぼみ部４Ｂを形成し、くぼみ部４Ｂにおける内周面に断熱材４Ｃを張設し、断熱材における内周面に遠赤外線及び熱を反射するアルミシート４Ｄを張設し、くぼみ部４Ｂ内に下方切り込み採石４Ｅと上方切り込み採石４Ｆを敷設し、上方切り込み採石の上面にヒーティングケーブル４Ｇを配線し、ヒーティングケーブルの上下面に下方の溶接金網４Ｈ及び上方の溶接金網４Ｉを張設し、上方切り込み採石の上面にヒーティングケーブル、下方の溶接金網及び上方の溶接金網を包む状態で遠赤外線素子入りコンクリート４Ｊを打設することを特徴とするものである。
【００１５】
請求項１１記載の発明は、請求項１０記載の発明において、ヒーティングケーブルに代えてヒーティングパイプを使用し、また、アルミシートに代えて樹脂系反射材、鋼板系反射材を使用したことを特徴とするものである。
【００１６】
請求項１２記載の発明は、請求項１０記載の発明において、遠赤外線素子入りコンクリート４Ｊに代えて遠赤外線素子のコーティングが施されたコンクリート４１Ａを使用したことを特徴とするものである。
【００１７】
【発明の実施の形態】
以下、本発明の実施の形態を実施例にもとづき図面を参照して説明する。
１は第１発明の融雪及び凍結防止工法で得た構造体である。
２は第２発明の融雪及び凍結防止工法で得た構造体である。
２１は第２発明の融雪及び凍結防止工法における他の第１実施例で得た構造体である。
２２は第２発明の融雪及び凍結防止工法における他の第２実施例で得た構造体である。
３は第３発明の融雪及び凍結防止工法で得た構造体である。
３１は第３発明の融雪及び凍結防止工法における他の実施例で得た構造体である。
４は第４発明の融雪及び凍結防止工法で得た構造体である。
４１は第４発明の融雪及び凍結防止工法における他の実施例で得た構造体である。
以下、順にその詳細を説明する。
【００１８】
第１発明の融雪及び凍結防止工法は下記のように構成されている。
図１を参照する。
Ａ．構造物の設置を所望する路盤１Ａに底面１Ｂ１と側壁１Ｂ２からなるくぼみ部１Ｂを形成し、くぼみ部１Ｂにおける内周面に断熱材１Ｃを張設し、断熱材における内周面に熱を反射するアルミシート１Ｄを張設し、くぼみ部１Ｂ内のほぼ下半分に下方切り込み採石１Ｅを敷設し、下方切り込み採石の上面に上方切り込み採石１Ｆを敷設し、上方切り込み採石の上面に当該上面とは所定間隔をもってヒーティングケーブル１Ｇを配線し、上方切り込み採石の上面にヒーティングケーブルを包む状態でコンクリートなどの舗装材１Ｈを打設する。
この結果、構造体１を得ることができる。
この場合、ヒーティングケーブルに代えてヒーティングパイプにすることができる。また、アルミシートに代えて樹脂系反射材、鋼板系反射材にすることができる。
Ｂ．路盤の下部及び側部にアルミシート、断熱材を設置し、ヒーティングケーブルから出た熱を舗装表面へ反射させるとともに下部及び側部への熱拡散を防止することができる。
なお、舗装材に遠赤外線素子を混合し、融雪能力、凍結の防止能力の向上を図ることができる。
また、ヒーティングケーブルの上下面に溶接金網を設置し、当該ヒーティングケーブルから出た熱の伝導を早めることができる。
【００１９】
第２発明の融雪及び凍結防止工法は下記のように構成されている。
図２を参照する。
Ａ．構造物の設置を所望する路盤２Ａに底面２Ｂ１と側壁２Ｂ２からなるくぼみ部２Ｂを形成し、くぼみ部２Ｂにおける内周面に断熱材２Ｃを張設し、断熱材における内周面に遠赤外線及び熱を反射するアルミシート２Ｄを張設し、くぼみ部２Ｂ内のほぼ下半分に下方切り込み採石２Ｅを敷設し、下方切り込み採石の上面に上方切り込み採石２Ｆを敷設し、上方切り込み採石の上面に当該上面とは所定間隔をもってヒーティングケーブル２Ｇを配線し、ヒーティングケーブルの上下面に下方の溶接金網２Ｈ及び上方の溶接金網２Ｉを張設し、上方切り込み採石の上面にヒーティングケーブル、下方の溶接金網及び上方の溶接金網を包む状態で遠赤外線素子入りコンクリート２Ｊを打設し、遠赤外線素子入りコンクリートの上面にクッション砂２Ｋを敷設し、クッション砂の上面にレンガ２Ｌ、２Ｌ．．を敷設する。
図中、２Ｍはレンガ２Ｌ、２Ｌ．．間に充填された目地砂である。
２Ｎは止め石、２Ｏはモルタルである。
この結果、構造体２を得ることができる。
この場合、ヒーティングケーブルに代えてヒーティングパイプにすることができる。また、アルミシートに代えて樹脂系反射材、鋼板系反射材にすることができる。さらにレンガに代えてインターロッキングブロック、カラー平板、エクステリアコンクリート、クッション砂に代えて遠赤外線素子入りクッション砂にすることができる。
Ｂ．路盤の下部及び側部にアルミシート、断熱材を設置したので、遠赤外線及びヒーティングケーブルから出た熱を舗装表面へ反射させるとともに下部及び側部への熱拡散を防止することができる。
コンクリートに遠赤外線素子を混合したので、融雪能力、凍結の防止能力を向上させることができる。
溶接金網を設置したので、ヒーティングケーブルから出た熱の伝導を早めることができる。
【００２０】
第２発明の他の第１実施例について説明する。
図３を参照する。
第２発明の融雪及び凍結防止工法におけるレンガ２Ｌ、２Ｌ．．に代えて遠赤外線素子入りレンガ２１Ａ、２１Ａ．．を使用することで構造体２１を得ることができる。
【００２１】
第２発明の他の第２実施例について説明する。
図４を参照する。
第２発明の融雪及び凍結防止工法におけるレンガ２Ｌ、２Ｌ．．に代えて遠赤外線素子のコーティングが施されたレンガ２２Ａ、２２Ａ．．を使用することで構造体２２を得ることができる。
【００２２】
路盤の下部及び側部にアルミシート、断熱材を設置したので、遠赤外線及びヒーティングケーブルから出た熱を舗装表面へ反射させるとともに下部及び側部への熱拡散を防止することができる。
レンガに遠赤外線素子を混合または遠赤外線素子のコーティングを施し、さらにコンクリートに遠赤外線素子を混合したので、融雪能力、凍結の防止能力を向上させることができる。
溶接金網を設置したので、ヒーティングケーブルから出た熱の伝導を早めることができる。
【００２３】
第３発明の融雪及び凍結防止工法は下記のように構成されている。
図５を参照する。
Ａ．構造物の設置を所望する路盤３Ａに底面３Ｂ１と側壁３Ｂ２からなるくぼみ部３Ｂを形成し、くぼみ部３Ｂにおける内周面に断熱材３Ｃを張設し、断熱材における内周面に遠赤外線及び熱を反射するアルミシート３Ｄを張設し、くぼみ部３Ｂ内のほぼ下半分に下方切り込み採石３Ｅを敷設し、下方切り込み採石の上面に上方切り込み採石３Ｆを敷設し、上方切り込み採石の上面に当該上面とは所定間隔をもってヒーティングケーブル３Ｇを配線し、ヒーティングケーブルの上下面に下方の溶接金網３Ｈ及び上方の溶接金網３Ｉを張設し、上方切り込み採石の上面にヒーティングケーブル、下方の溶接金網及び上方の溶接金網を包む状態で遠赤外線素子入りコンクリート３Ｊを打設し、遠赤外線素子入りコンクリートの上面にアスファルト３Ｋを打設する。
この結果、構造体３を得ることができる。
この場合、ヒーティングケーブルに代えてヒーティングパイプにすることができる。また、アルミシートに代えて樹脂系反射材、鋼板系反射材にすることができる。
Ｂ．路盤の下部及び側部にアルミシート、断熱材を設置したので、遠赤外線及びヒーティングケーブルから出た熱を舗装表面へ反射させるとともに下部及び側部への熱拡散を防止することができる。
コンクリートに遠赤外線素子を混合したので、融雪能力、凍結の防止能力を向上させることができる。
溶接金網を設置したので、ヒーティングケーブルから出た熱の伝導を早めることができる。
【００２４】
第３発明の他の実施例について説明する。
図６を参照する。
第３発明の融雪及び凍結防止工法におけるアスファルト３Ｋに代えて遠赤外線素子入りアスファルト３１Ａを使用することで構造体３１を得ることができる。
【００２５】
路盤の下部及び側部にアルミシート、断熱材を設置したので、遠赤外線及びヒーティングケーブルから出た熱を舗装表面へ反射させるとともに下部及び側部への熱拡散を防止する。
アスファルト、コンクリートに遠赤外線素子を混合したので、融雪能力、凍結の防止能力を向上させることができる。
溶接金網を設置したので、ヒーティングケーブルから出た熱の伝導を早めることができる。
【００２６】
第４発明の融雪及び凍結防止工法は下記のように構成されている。
図７を参照する。
Ａ．構造物の設置を所望する路盤４Ａに底面４Ｂ１と側壁４Ｂ２からなるくぼみ部４Ｂを形成し、くぼみ部４Ｂにおける内周面に断熱材４Ｃを張設し、断熱材における内周面に遠赤外線及び熱を反射するアルミシート４Ｄを張設し、くぼみ部４Ｂ内のほぼ下半分に下方切り込み採石４Ｅを敷設し、下方切り込み採石の上面に上方切り込み採石４Ｆを敷設し、上方切り込み採石の上面に当該上面とは所定間隔をもってヒーティングケーブル４Ｇを配線し、ヒーティングケーブルの上下面に下方の溶接金網４Ｈ及び上方の溶接金網４Ｉを張設し、上方切り込み採石の上面にヒーティングケーブル、下方の溶接金網及び上方の溶接金網を包む状態で遠赤外線素子入りコンクリート４Ｊを打設する。
この結果、構造体４を得ることができる。
この場合、ヒーティングケーブルに代えてヒーティングパイプにすることができる。また、アルミシートに代えて樹脂系反射材、鋼板系反射材にすることができる。
Ｂ．路盤の下部及び側部にアルミシート、断熱材を設置したので、遠赤外線及びヒーティングケーブルから出た熱を舗装表面へ反射させるとともに下部及び側部への熱拡散を防止することができる。
コンクリートに遠赤外線素子を混合したので、融雪能力、凍結の防止能力を向上させることができる。
溶接金網を設置したので、ヒーティングケーブルから出た熱の伝導を早めることができる。
【００２７】
第４発明の他の実施例について説明する。
図８を参照する。
第４発明の融雪及び凍結防止工法における遠赤外線素子入りコンクリート４Ｊに代えて遠赤外線素子のコーティングが施されたコンクリート４１Ａを使用することで構造体４１を得ることができる。
路盤の下部及び側部にアルミシート、断熱材を設置したので、遠赤外線及びヒーティングケーブルから出た熱を舗装表面へ反射させるとともに下部及び側部への熱拡散を防止することができる。
コンクリートに遠赤外線素子のコーティングを施したので、融雪能力、凍結の防止能力を向上させることができる。
溶接金網を設置したので、ヒーティングケーブルから出た熱の伝導を早めることができる。
【００２８】
【発明の効果】
本発明は、上述の通り構成されているので次に記載する効果を奏する。
１．本発明によれば、上記構成を採用しヒーティングケーブルから出る熱を効率的に利用できるため従来の保温能力、融雪能力、凍結の防止能力を維持しつつ、電力の使用を低減し、より一層省エネルギーの実現及びコストダウンを図ることができる。
２．このほか、安価に製造できる、部品点数が少ないので施工が容易である、経済的である、などの効果をも有するものである。
【図面の簡単な説明】
【図１】第１発明の要部拡大縦断面図である。
【図２】第２発明の要部拡大縦断面図である。
【図３】第２発明の他の第１実施例の要部拡大縦断面図である。
【図４】第２発明の他の第２実施例の要部拡大縦断面図である。
【図５】第３発明の要部拡大縦断面図である。
【図６】第３発明の他の実施例の要部拡大縦断面図である。
【図７】第４発明の要部拡大縦断面図である。
【図８】第４発明の他の実施例の要部拡大縦断面図である。
【符号の説明】
１  第１発明の融雪及び凍結防止工法で得た構造体
１Ａ  路盤
１Ｂ  くぼみ部
１Ｃ  断熱材
１Ｄ  アルミシート
１Ｅ  下方切り込み採石
１Ｆ  上方切り込み採石
１Ｇ  ヒーティングケーブル
１Ｈ  舗装材
２  第２発明の融雪及び凍結防止工法で得た構造体
２Ａ  路盤
２Ｂ  くぼみ部
２Ｃ  断熱材
２Ｄ  アルミシート
２Ｅ  下方切り込み採石
２Ｆ  上方切り込み採石
２Ｇ  ヒーティングケーブル
２Ｈ  下方の溶接金網
２Ｉ  上方の溶接金網
２Ｊ  遠赤外線素子入りコンクリート
２Ｋ  クッション砂
２Ｌ  レンガ
２１  第２発明の融雪及び凍結防止工法における他の第１実施例で得た構造体
２２  第２発明の融雪及び凍結防止工法における他の第２実施例で得た構造体
３  第３発明の融雪及び凍結防止工法で得た構造体
３Ａ  路盤
３Ｂ  くぼみ部
３Ｃ  断熱材
３Ｄ  アルミシート
３Ｅ  下方切り込み採石
３Ｆ  上方切り込み採石
３Ｇ  ヒーティングケーブル
３Ｈ  下方の溶接金網
３Ｉ  上方の溶接金網
３Ｊ  遠赤外線素子入りコンクリート
３Ｋ  アスファルト
３１  第３発明の融雪及び凍結防止工法における他の実施例で得た構造体
４  第４発明の融雪及び凍結防止工法で得た構造体
４Ａ  路盤
４Ｂ  くぼみ部
４Ｃ  断熱材
４Ｄ  アルミシート
４Ｅ  下方切り込み採石
４Ｆ  上方切り込み採石
４Ｇ  ヒーティングケーブル
４Ｈ  下方の溶接金網
４Ｉ  上方の溶接金網
４Ｊ  遠赤外線素子入りコンクリート
４１  第４発明の融雪及び凍結防止工法における他の実施例で得た構造体
【図１】
2004156391.tif 000003
【図２】
2004156391.tif 000004
【図３】
2004156391.tif 000005
【図４】
2004156391.tif 000006
【図５】
2004156391.tif 000007
【図６】
2004156391.tif 000008
【図７】
2004156391.tif 000009
【図８】
2004156391.tif 000010